(57)【要約】【課題】一対の把持部を備えた柔軟性のある収納器であっても、収納器の上部開口面積を広い状態に維持した状態で被吊下げ部に安定良く吊下げ支持することができ、且つ、コンパクトに格納保管する。【解決手段】洗濯物を収納可能な収納器１に設けられている一対の把持部２を被吊下げ部３に脱着自在に吊下げ支持する吊下げ支持具であって、被吊下げ部３に脱着自在に吊下げ支持される吊下げ支持体４と、吊下げ支持体４の下部側から二股状に分岐形成される一対の分岐支持体５と、を有し、両分岐支持体５には、収納器１の両把持部２に個別に係止可能な一対のフック６が、背中合わせ可能な逆向き姿勢で設けられている。【選択図】図１
2019162200.tif 000002
【特許請求の範囲】
【請求項１】
洗濯物を収納可能な収納器に設けられている一対の把持部を被吊下げ部に脱着自在に吊下げ支持する吊下げ支持具であって、
前記被吊下げ部に脱着自在に吊下げ支持される吊下げ支持体と、前記吊下げ支持体の下部側から二股状に分岐形成される一対の分岐支持体と、を有し、前記両分岐支持体には、前記収納器の前記両把持部に個別に係止可能な一対のフックが、背中合わせ可能な逆向き姿勢で設けられている吊下げ支持具。
【請求項２】
前記両フックをそれらの背面同士を合わせた背中合わせ姿勢で脱着自在に保持する姿勢保持手段が設けられている請求項１記載の吊下げ支持具。
【請求項３】
前記両フックの基部の各々は、収納凹部を備えた扁平板状部と、該扁平板状部の収納凹部を閉止する蓋部と、を有し、前記各フックの扁平板状部の収納凹部の内面と前記蓋部の内面との少なくとも一方には、前記姿勢保持手段を構成する磁着可能な磁石と磁性体を個別に保持する保持部が設けられている請求項２記載の吊下げ支持具。
【請求項４】
前記両分岐支持体は、可撓性を有する帯状の分岐ベルトを備え、前記両分岐ベルトの下端部は、前記両フックの基部に幅方向に沿って貫通形成されている横長の係止孔に挿通状態で止着され、前記両分岐ベルトの分岐側端部は、前記吊下げ支持体の下端部に設けた横長の連結リングに挿通状態で開閉自在に止着されている請求項１〜３のいずれか１項に記載の吊下げ支持具。
【請求項５】
前記吊下げ支持体は、可撓性を有する帯状の吊下げ支持ベルトを備え、該吊下げ支持ベルトの一端部は、前記連結リングに挿通状態で止着され、前記吊下げ支持ベルトの他端側の一側面には、係止側の第１面ファスナーが設けられ、前記吊下げ支持ベルトの他側面には、前記連結リングに挿通された前記吊下げ支持ベルトの他端側の前記第１面ファスナーと係脱自在な被係止側の第２面ファスナーが設けられている請求項４記載の吊下げ支持具。
【発明の詳細な説明】
【技術分野】
【０００１】
本発明は、洗濯物を収納可能な収納器に設けられている一対の把持部を被吊下げ部に脱着自在に吊下げ支持する吊下げ支持具に関する。
【背景技術】
【０００２】
上述の吊下げ支持具は、洗濯物を収納した洗濯籠等の収納器を物干し竿（物干しポール）等の被吊下げ部に吊下げ支持することができるので、収納器内の洗濯物を無理のない立ち姿勢で容易に取り出すことができる。そのため、例えば、床に載置した収納器から洗濯物を取り出す場合に比較して、幾度となく腰、膝を折り曲げることによる身体的負担を軽減することができる。
【０００３】
この種の吊下げ支持具として、例えば、特許文献１に開示されている洗濯籠支持具が存在する。この洗濯籠支持具は、三角形の一辺を水平にして上部側に配置する環状フレームと、該環状フレームの上側水平フレーム部の両端部に取付けられ、且つ、物干し竿に沿って転動可能な状態で着脱自在に係止保持される一対の転動輪と、環状フレームの下端部に連結される伸縮自在な伸縮パイプと、を有する。伸縮パイプの下部パイプの下端部には、洗濯籠（収納器の一例）の一つの取手（把持部の一例）を二点支持する二股状のフックが、同じ方向に向けた同一向き姿勢で固着されている。
洗濯籠の取手は、上方広がりの四角錐台状に成形された籠本体の短辺側の両側壁の中央位置に亘って取付けられている。
【先行技術文献】
【特許文献】
【０００４】
【特許文献１】特開昭５６−１６３６９７号公報
【発明の概要】
【発明が解決しようとする課題】
【０００５】
上述の洗濯籠支持具では、伸縮パイプの下端部に二股状のフックが同一向き姿勢で固着されているため、例えば、洗濯籠の中央位置に取付けられている一つの取手を安定良く係止することができ、且つ、籠本体の保形性を利用して洗濯籠の上部開口を広く開いた状態に維持することができる。しかし、柔軟性のある籠本体の開口縁部の相対向する部位に一対の取手が設けられている洗濯籠の場合では、洗濯籠の両取手を互いに引き寄せ、その引き寄せられた両取手に対して同一向き姿勢の両フックを同時に係止する使用形態となる。そのため、洗濯籠の両取手の引き寄せに伴って籠本体の開口縁部が閉じ側に変形し、洗濯籠の上部開口面積の減少によって、洗濯籠内の洗濯物の取出しに手間取る不都合がある。
【０００６】
この実情に鑑み、本発明の主たる課題は、一対の把持部を備えた柔軟性のある収納器であっても、収納器の上部開口を広く開いた状態に維持した状態で被吊下げ部に安定良く吊下げ支持することができ、且つ、非使用時にはコンパクトに保管することのできる吊下げ支持具を提供する点にある。
【課題を解決するための手段】
【０００７】
本発明の第１特徴構成は、洗濯物を収納可能な収納器に設けられている一対の把持部を被吊下げ部に脱着自在に吊下げ支持する吊下げ支持具であって、
前記被吊下げ部に脱着自在に吊下げ支持される吊下げ支持体と、前記吊下げ支持体の下部側から二股状に分岐形成される一対の分岐支持体と、を有し、前記両分岐支持体には、前記収納器の前記両把持部に個別に係止可能な一対のフックが、背中合わせ可能な逆向き姿勢で設けられている点にある。
【０００８】
上記構成によれば、例えば、一対の把持部を備えた柔軟性のある収納器を被吊下げ部に吊下げ支持する場合、吊下げ支持体を被吊下げ部に吊下げ支持させ、この吊下げ支持体の下部側から二股状に分岐形成されている一対の分岐支持体のフックを、収納器の両把持部に個別に係止する。このとき、一対のフックが逆向き姿勢で設けられているため、収納器の両把持部に対する両フックの係止位置が背中合わせ方向で離間する。これにより、両フックに係止された収納器の両把持部の間隔が拡がるため、収納器の上部開口を広く開いた状態に維持しながら安定良く吊下げ支持することができる。
また、一つの把持部が設けられている保形性のある収納器の場合は、逆向き姿勢にある両フックの一方を収納器の把持部に係止することにより、収納器を被吊下げ部に安定良く吊下げ支持することができる。
さらに、非使用時には、両フックを背中合わせにすることにより、吊下げ支持具をコンパクトに構成することができる。
したがって、例え、一対の把持部を備えた柔軟性のある収納器であっても、収納器の上部開口を広く開いた状態に維持した状態で被吊下げ部に安定良く吊下げ支持することができるので、収納器内の洗濯物をスムーズに取り出すことができる。しかも、非使用時には、吊下げ支持具をコンパクトに保管することができる。
【０００９】
本発明の第２特徴構成は、前記両フックをそれらの背面同士を合わせた背中合わせ姿勢で脱着自在に保持する姿勢保持手段が設けられている点にある。
【００１０】
上記構成によれば、姿勢保持手段により、両フックをそれらの背面同士を合わせたコンパクトな背中合わせ姿勢と、姿勢保持手段の保持力を解除して両フックを分離した分離姿勢と、を自由に択一的に現出することができるので、使用形態及び保管形態の選択肢を拡大することができる。
【００１１】
本発明の第３特徴構成は、前記両フックの基部の各々は、収納凹部を備えた扁平板状部と、該扁平板状部の収納凹部を閉止する蓋部と、を有し、前記各フックの扁平板状部の収納凹部の内面と前記蓋部の内面との少なくとも一方には、前記姿勢保持手段を構成する磁着可能な磁石と磁性体を個別に保持する保持部が設けられている点にある。
【００１２】
上記構成によれば、両フックの基部の構成部材である扁平板状部同士を、それらの収納凹部内の保持部に個別に保持された磁石と磁性体とによる磁着作用によって背中合わせ姿勢に保持することができる。これにより、例えば、両フックの基部同士をねじ止め構造や嵌合構造で背中合わせ姿勢に脱着自在に保持する場合に比較して、フックの基部同士の背中合わせ姿勢への接合操作や分離操作を迅速、容易に行うことができる。
しかも、磁石及び磁性体を個別に収納する両扁平板状部の収納凹部は蓋部で閉止することができるので、吊下げ支持具の外観意匠性を高めることができる。
【００１３】
本発明の第４特徴構成は、前記両分岐支持体は、帯状の可撓性を有する分岐ベルトを備え、前記両分岐ベルトの下端部は、前記両フックの基部に幅方向に沿って貫通形成されている横長の係止孔に挿通状態で止着され、前記両分岐ベルトの分岐側端部は、前記吊下げ支持体の下端部に設けた横長の連結リングに挿通状態で開閉自在に止着されている点にある。
【００１４】
上記構成によれば、例えば、一対の把持部を備えた柔軟性のある収納器を被吊下げ部に吊下げ支持する場合、吊下げ支持体を被吊下げ部に吊下げ支持させ、この吊下げ支持体の下部側から二股状に分岐形成された一対の分岐ベルトのフックを、収納器の両把持部に個別に係止する。このとき、一対のフックが逆向き姿勢で設けられているため、収納器の両把持部に対する両フックの係止位置が背中合わせ方向で離間する。さらに、一対の分岐ベルトは、吊下げ支持体の下端部の連結リングに挿通状態で開閉自在に止着されているため、収納器自体の保形力、又は、収納器自体の保形力と収納した洗濯物の押し開き力によって、両分岐ベルトは開き揺動する。これにより、両フックに係止された収納器の両把持部の間隔が大きく拡がるため、収納器の上部開口をより広く開いた状態に維持しながら安定良く吊下げ支持することができる。
【００１５】
しかも、帯状の可撓性を有する両分岐ベルトの下端部は、両フックの基部に幅方向に沿って貫通形成されている横長の係止孔に挿通状態で止着され、両分岐ベルトの分岐側端部は、吊下げ支持体の下端部に設けた横長の連結リングに挿通状態で止着されている。そのため、一対の分岐ベルトが外力でねじり側に撓み変形しても、その外力が解除されると、両分岐ベルトの復元力と係止孔及び連結リングの向き姿勢規制作用とによって、一対のフックは逆向き姿勢となる状態にスムーズに復帰する。これにより、被吊下げ部に吊下げ支持された吊下げ支持具の両フックに対する収納器の両把持部の係止作業を容易に行うことができる。
【００１６】
本発明の第５特徴構成は、前記吊下げ支持体は、可撓性を有する帯状の吊下げ支持ベルトを備え、該吊下げ支持ベルトの一端部は、前記連結リングに挿通状態で止着され、前記吊下げ支持ベルトの他端側の一側面には、係止側の第１面ファスナーが設けられ、前記吊下げ支持ベルトの他側面には、前記連結リングに挿通された前記吊下げ支持ベルトの他端側の前記第１面ファスナーと係脱自在な被係止側の第２面ファスナーが設けられている点にある。
【００１７】
上記構成によれば、吊下げ支持具の吊下げ支持体を被吊下げ部に吊下げ支持するとき、帯状の吊下げ支持ベルトを被吊下げ部に逆「Ｕ」字状に掛止する。掛止された吊下げ支持ベルトの他端部を、吊下げ支持ベルトの一端部に止着されている連結リングに挿通する。挿通された吊下げ支持ベルトの他端側の一側面に設けられている第１面ファスナーを、吊下げ支持ベルトの他側面に設けられている第２面ファスナーに係止する。これにより、吊下げ支持されている収納器に対して洗濯物の取出し時に下向きの外力が加えられても、この外力は、被吊下げ部と連結リングとの間の吊下げ支持ベルトで受け止めることができ、第１面ファスナーと第２面ファスナーとの係止解除を抑制することができる。
さらに、第１面ファスナーと第２面ファスナーとの係合位置を吊下げ支持ベルトの長手方向で変更することにより、被吊下げ部に対する収納器の吊下げ高さ位置を使用者の体格等に適した位置に自由に調節することができる。
【図面の簡単な説明】
【００１８】
【図１】吊下げ支持具の使用状態の説明図
【図２】吊下げ支持具の斜視図
【図３】吊下げ支持具の中間省略の側面図
【図４】フックの分解斜視図
【図５】フックの背面側からの分解斜視図
【発明を実施するための形態】
【００１９】
本発明の実施形態を図面に基づいて説明する。
図１〜図３は、物干し竿（物干しポール）等の被吊下げ部３に対して、洗濯物を収納可能な収納器１に設けられている一対の把持部２を脱着自在に吊下げ支持することが可能な吊下げ支持具Ａを示す。
収納器１としては、従来から種々の形態のものが存在し、そのいずれの形態の収納器１も使用可能である。本実施形態では、収納器１の一例として、図１に示すように、周壁が格子状に形成された籠本体１１の上側開口部で、且つ、相対向する長辺側の開口縁に把持部２としての取手１２が一体成形されている柔軟性のある合成樹脂製の洗濯籠１３を用いている。
【００２０】
吊下げ支持具Ａは、図１〜図３に示すように、被吊下げ部３に脱着自在に吊下げ支持される吊下げ支持体４と、吊下げ支持体４の下部側から二股状に分岐形成される揺動開閉可能な一対の分岐支持体５と、を有する。両分岐支持体５には、図１に示すように、洗濯籠１３の両取手１２に個別に係止可能な一対のフック６が、背中合わせ可能な逆向き姿勢で設けられている。図４、図５に示すように、両フック６をそれらの背面同士を合わせた背中合わせ姿勢で脱着自在に保持する姿勢保持手段７が設けられている。
【００２１】
両フック６の各々は、図１〜図３に示すように、五角形の輪郭形状に形成された基部６Ａと、該基部６Ａの下端部から前面側に略「Ｕ」の字状に延出されるフック部６Ｂと、を備える。両フック６の基部６Ａの各々は、図４、図５に示すように、フック部６Ｂの延出側に開口する収納凹部６１を備えた合成樹脂製の扁平板状部６２と、該扁平板状部６２の収納凹部６１を閉止する合成樹脂製の蓋部６３と、を有する。各フック６における扁平板状部６２の収納凹部６１の内面と蓋部６３の内面との相対向する部位には、姿勢保持手段７を構成する磁着可能な同一輪郭形状の永久磁石７１と磁性体７２とを択一的に嵌合状態で装着可能な保持筒６４ａ，６４ｂが形成されている。各対の扁平板状部６２側の保持筒６４ａと蓋部６３側の保持筒６４ｂとをもって、永久磁石７１と磁性体７２を個別に脱着自在に保持する保持部６４が構成されている。
蓋部６３側の保持筒６４ｂの保持高さは、扁平板状部６２側の保持筒６４ａの保持高さよりも大に構成され、両保持筒６４ａ，６４ｂ間で保持される永久磁石７１又は磁性体７２の保持位置は、扁平板状部６２の厚み方向中央位置よりも背面側に偏位した位置に設定されている。
本実施形態では、永久磁石７１は円柱状に構成され、磁性体７２は円柱状の鉄片から構成されている。
【００２２】
また、各扁平板状部６２の上部には、図４、図５に示すように、幅方向に沿う横長矩形状の係止孔６５が貫通形成されている。各扁平板状部６２の係止孔６５には、分岐支持体５を構成する後述の分岐ベルト５１の下端部が挿通状態で止着される。
【００２３】
両蓋部６３の各々は、図４、図５に示すように、扁平板状部６２の収納凹部６１内に内嵌する周壁６３ａを備える。各蓋部６３の周壁６３ａにおける周方向の二箇所には、これに対応する収納凹部６１の内壁面６１ａに形成した係合凹部６６に係合する係合爪６７が形成されている。各蓋部６３の係合爪６７は、扁平板状部６２の収納凹部６１に対して蓋部６３が所定の閉止位置にまで押し込み装着されたとき、収納凹部６１の内壁面６１ａの係合凹部６６に係合する。そのため、各蓋部６３を扁平板状部６２の収納凹部６１に押し込み装着する前に、両扁平板状部６２側の保持筒６４ａ又は両蓋部６３側の保持筒６４ｂに永久磁石７１と磁性体７２を個別に装着する。
【００２４】
上述の構成により、図２、図３に示すように、両フック６の基部６Ａの構成部材である扁平板状部６２同士を、それらの収納凹部６１内の保持部６４に個別に保持された永久磁石７１と磁性体７２とによる磁着作用によって背中合わせ姿勢に保持することができる。これにより、例えば、両フック６の基部６Ａ同士をねじ止め構造や嵌合構造で背中合わせ姿勢に脱着自在に保持する場合に比較して、フック６の基部６Ａ同士の背中合わせ姿勢への接合操作や分離操作を迅速、容易に行うことができる。しかも、永久磁石７１及び磁性体７２を個別に収納する両扁平板状部６２の収納凹部６１は蓋部６３で閉止することができるので、吊下げ支持具Ａの外観意匠性を高めることができる。
【００２５】
両分岐支持体５の各々は、図１〜図３に示すように、可撓性を有する帯状の繊維製の分岐ベルト５１を備えている。両分岐ベルト５１の下端部は、両フック６の基部６Ａの係止孔６５に挿通状態で止着され、両分岐ベルト５１の分岐側端部は、吊下げ支持体４の下端部に設けた横長矩形状の連結リング８に挿通状態で止着されている。
【００２６】
両分岐ベルト５１は、図３に示すように、一本の繊維製ベルトを吊下げ支持体４の連結リング８に挿通し、連結リング８との接触位置を折り曲げ起点として繊維製ベルトを長手方向中央位置で二つ折にし、且つ、その折り返し位置に近い部位を幅方向に沿って縫着Ｓ１（接合手段の一例）することにより構成されている。そのため、両分岐ベルト５１は、吊下げ支持体４の連結リング８周りで回動自在であり、且つ、幅方向に沿った縫着Ｓ１部位を揺動支点として両フック６の背中合わせ方向に開閉自在に構成されている。
【００２７】
各分岐ベルト５１の下端部は、図３〜図５に示すように、フック６の基部６Ａの係止孔６５に挿通された通過側の第１ベルト部分５１Ａと挿通前の第２ベルト部分５１Ｂとを重合配置して構成されている。この重合配置された第１ベルト部分５１Ａと第２ベルト部分５１Ｂとは、ベルト長手方向の複数位置で幅方向に沿って縫着Ｓ２（接合手段の一例）されている。この縫着Ｓ２により、第１ベルト部分５１Ａと第２ベルト部分５１Ｂとの折り返し部分は、係止孔６５の上方側を区画する扁平板状部６２の横桟部分６２Ａが余裕をもって回動自在な大きさの筒状に構成されている。
【００２８】
そして、図１に示すように、例えば、一対の取手１２を備えた柔軟性のある洗濯籠１３を物干し竿等の被吊下げ部３に吊下げ支持する場合、先ず、吊下げ支持体４を被吊下げ部３に吊下げ支持させ、この吊下げ支持体４の下部側から二股状に分岐形成された一対の分岐ベルト５１のフック６を、洗濯籠１３の両取手１２に個別に係止する。このとき、一対のフック６が逆向き姿勢で設けられているため、洗濯籠１３の両取手１２に対する両フック６の係止位置が背中合わせ方向で離間する。さらに、一対の可撓性の分岐ベルト５１は、吊下げ支持体４の下端部の連結リング８に挿通状態で揺動開閉自在に止着されているため、洗濯籠１３自体の保形力、又は、洗濯籠１３自体の保形力と収納した洗濯物の押し開き力によって、両分岐ベルト５１は開き揺動する。これにより、両フック６に係止された洗濯籠１３の両取手１２の間隔が大きく拡がるため、洗濯籠１３の上部開口をより広く開いた状態に維持しながら安定良く吊下げ支持することができる。
【００２９】
しかも、帯状の可撓性を有する両分岐ベルト５１の下端部は、両フック６の基部６Ａに幅方向に沿って貫通形成されている横長矩形状の係止孔６５に挿通状態で止着され、両分岐ベルト５１の分岐側端部は、吊下げ支持体４の下端部に設けた横長矩形状の連結リング８に挿通状態で止着されている。そのため、一対の分岐ベルト５１が外力でねじり側に撓み変形しても、その外力が解除されると、両分岐ベルト５１の復元力と係止孔６５及び連結リング８の向き姿勢規制作用とによって、一対のフック６が逆向き姿勢となる状態にスムーズに復帰する。これにより、被吊下げ部３に吊下げ支持された吊下げ支持具Ａの両フック６に対する洗濯籠１３の両取手１２の係止作業を容易に行うことができる。
【００３０】
吊下げ支持体４は、図１〜図３に示すように、可撓性を有する帯状の繊維製の吊下げ支持ベルト４１を備えている。吊下げ支持ベルト４１の一端部は、両分岐ベルト５１の分岐側端部の連結リング８に挿通状態で止着されている。詳しくは、吊下げ支持ベルト４１の一端部は、連結リング８に挿通された通過側の第３ベルト部分４１Ａと挿通前の第４ベルト部分４１Ｂとを重合配置して構成されている。この重合配置された第３ベルト部分４１Ａと第４ベルト部分４１Ｂとは、ベルト長手方向の複数位置で幅方向に沿って縫着Ｓ３（接合手段の一例）されている。
【００３１】
吊下げ支持ベルト４１の他端側の一側面４１ａには、図１〜図３に示すように、係止側の第１面ファスナー４２が設けられている。吊下げ支持ベルト４１の他側面４１ｂには、図１〜図３に示すように、連結リング８に挿通された吊下げ支持ベルト４１の他端側の第１面ファスナー４２と係脱自在な被係止側の第２面ファスナー４３が設けられている。
第２面ファスナー４３は、吊下げ支持ベルト４１の全長の約半分に相当する長尺寸法に構成されている。第１面ファスナー４２は、第２面ファスナー４３の全長の半分以下の短尺寸法に構成されている。
【００３２】
そして、図１に示すように、吊下げ支持具Ａの吊下げ支持体４を被吊下げ部３に吊下げ支持するとき、帯状の吊下げ支持ベルト４１を被吊下げ部３に逆「Ｕ」字状に掛止する。掛止された吊下げ支持ベルト４１の他端部を、吊下げ支持ベルト４１の一端部に止着されている連結リング８に挿通する。挿通された吊下げ支持ベルト４１の他端側の一側面４１ａに設けられている第１面ファスナー４２を、吊下げ支持ベルト４１の他側面４１ｂに設けられている第２面ファスナー４３に係止する。これにより、吊下げ支持されている洗濯籠１３に対して洗濯物取出し時に下向きの外力が加えられても、この外力は、被吊下げ部３と連結リング８との間の吊下げ支持ベルト４１で受け止めることができ、第１面ファスナー４２と第２面ファスナー４３との係止解除を抑制することができる。
さらに、第１面ファスナー４２と第２面ファスナー４３との係合位置を吊下げ支持ベルト４１の長手方向で変更することにより、被吊下げ部３に対する洗濯籠１３の吊下げ高さ位置を使用者の体格等に適した位置に自由に調節することができる。
【００３３】
上述の実施形態では、一対の取手１２を備えた洗濯籠１３を例に挙げて説明したが、本発明の吊下げ支持具Ａは、一つの把持部２を備えた収納器１でも使用することができる。この場合、収納器１の単一の把持部２に対して一方のフック６を係止する使用形態と、両分岐ベルト５１の可撓性を利用して両フック６を同じ向き姿勢に変更し、同じ向き姿勢の両フック６を収納器１の単一の把持部２に同時に係止する使用形態とを選択することができる。
【００３４】
〔その他の実施形態〕
（１）上述の実施形態では、両分岐ベルト５１を、吊下げ支持体４の連結リング８に挿通した一本の繊維製ベルトの両側部分で構成したが、吊下げ支持体４の連結リング８にそれぞれ揺動自在に取付けられた各別の繊維製ベルトから構成してもよい。
【００３５】
（２）上述の実施形態では、両分岐支持体５を、可撓性を有する帯状の繊維製の分岐ベルト５１から構成したが、ベルト以外のロープや鎖状体、紐状体等から構成してもよい。
【００３６】
（３）上述の実施形態では、両分岐ベルト５１を、可撓性を有する帯状の繊維製の分岐ベルト５１から構成したが、吊下げ支持体４の連結部位に揺動開閉自在に連結される非可撓性部材から構成してもよい。
【００３７】
（４）上述の実施形態では、第１面ファスナー４２と第２面ファスナー４３を、吊下げ支持ベルト４１の両側面４１ａ，４１ｂに設けたが、吊下げ支持ベルト４１の一側面４１ａ又は他側面４１ｂに設けてもよい。この場合、吊下げ支持ベルト４１を被吊下げ部３に回し掛けてループ状に巻回し、その巻回状態で重合する吊下げ支持ベルト４１の一側面４１ａ又は他側面４１ｂの両面ファスナー４２，４３同士を係合することになる。
尚、面ファスナーの代わりにボタンやホック等の止め金具を用いてもよい。
【００３８】
（５）上述の実施形態では、吊下げ支持体４を、可撓性を有する帯状の繊維製の吊下げ支持ベルト４１から構成したが、ベルト以外のロープや鎖状体、紐状体等から構成してもよい。
さらに、吊下げ支持体４を、物干し竿等の被吊下げ部３に対して脱着自在に挾持する挾持具や被吊下げ部３に対して脱着自在に掛止する掛止具等から構成してもよい。
【００３９】
（６）上述の実施形態では、磁性体７２を鉄片から構成したが、永久磁石で構成してもよい。
【符号の説明】
【００４０】
１        収納器
２        把持部
３        被吊下げ部
４        吊下げ支持体
５        分岐支持体
６        フック
６Ａ      基部
７        姿勢保持手段
８        連結リング
４１      吊下げ支持ベルト
４１ａ    一側面
４１ｂ    他側面
４２      第１面ファスナー
４３      第２面ファスナー
５１      分岐ベルト
６１      収納凹部
６２      扁平板状部
６３      蓋部
６４      保持部
６５      係止孔
７１      磁石（永久磁石）
７２      磁性体
【図１】
2019162200.tif 000003
【図２】
2019162200.tif 000004
【図３】
2019162200.tif 000005
【図４】
2019162200.tif 000006
【図５】
2019162200.tif 000007